(57)【要約】【課題】輝度均一性を向上させることができるバックライトアセンブリ及びこれを有する液晶表示装置を提供する。【解決手段】バックライトアセンブリは、複数の放電空間に分割され光を発生する平板蛍光ランプと、底部及び側部からなる平板蛍光ランプを収納する収納容器とを含む。収納容器の底部には外郭と隣接する放電空間に対応して開口部が形成される。開口部は底部の４つの角に放電空間の長さ方向に沿ってそれぞれ形成される。バックライトアセンブリは平板蛍光ランプと収納容器との間に配置され平板蛍光ランプを支持し、収納容器のホールと結合される突出部を有する緩衝部材をさらに含む。従って、外郭と隣接する放電空間の漏洩電流を減少して輝度均一性を向上し、緩衝部材をより安定的に収納容器に固定することができる。【選択図】    図１
2006156323.tif 000002
【特許請求の範囲】
【請求項１】
複数の放電空間に分割され光を発生する平板蛍光ランプと、
底部及び側部からなり、前記平板蛍光ランプを収納し、前記底部には外郭と隣接する放電空間に対応し開口部が形成された収納容器と、
を含むバックライトアセンブリ。
【請求項２】
前記開口部は、前記放電空間の長さ方向に沿って形成されることを特徴とする請求項１記載のバックライトアセンブリ。
【請求項３】
前記開口部は、前記底部の４つの角にそれぞれ形成されることを特徴とする請求項１記載のバックライトアセンブリ。
【請求項４】
前記平板蛍光ランプは、
ランプ本体と、
前記ランプ本体の両端部にそれぞれ形成された電極と、
を含むことを特徴とする請求項１記載のバックライトアセンブリ。
【請求項５】
前記電極は、前記放電空間の長さ方向と垂直な方向に延長され、全ての前記放電空間と交差することを特徴とする請求項４記載のバックライトアセンブリ。
【請求項６】
前記開口部は、前記電極と一部領域が重畳し、隣接する前記側部に沿って前記電極以外の領域まで延長されることを特徴とする請求項５記載のバックライトアセンブリ。
【請求項７】
前記開口部は、前記電極から前記側部に沿って一定距離に形成されることを特徴とする請求項５記載のバックライトアセンブリ。
【請求項８】
前記開口部は、前記電極から前記側部に沿って２０ｃｍ以下に形成されることを特徴とする請求項５記載のバックライトアセンブリ。
【請求項９】
前記ランプ本体は、
前記第１基板と、
前記第１基板と離間され前記放電空間を形成する放電空間部と、前記放電空間部の間に形成され前記第１基板と接する空間分割部と、前記放電空間部と前記空間分割部の端部位に形成され前記第１基板と結合されるシーリング部とを有する第２基板と、
を含むことを特徴とする請求項４記載のバックライトアセンブリ。
【請求項１０】
前記平板蛍光ランプと前記収納容器との間に配置され前記平板蛍光ランプを支持する緩衝部材をさらに含むことを特徴とする請求項１記載のバックライトアセンブリ。
【請求項１１】
前記緩衝部材は、前記平板蛍光ランプの端部位を支持することを特徴とする請求項１０記載のバックライトアセンブリ。
【請求項１２】
複数の放電空間に分割され光を発生する平板蛍光ランプと、
底部及び側部からなり前記平板蛍光ランプを収納し、前記底部には端部位に沿って第１結合部が形成された収納容器と、
前記平板蛍光ランプと前記収納容器との間に配置され前記平板蛍光ランプを支持し、前記第１結合部と結合される第２結合部を有する緩衝部材と、
を含むことを特徴とするバックライトアセンブリ。
【請求項１３】
前記第１結合部はホールであり、前記第２結合部は突起であることを特徴とする請求項１２記載のバックライトアセンブリ。
【請求項１４】
前記第１結合部は突起であり、前記第２結合部はホールであることを特徴とする請求項１２記載のバックライトアセンブリ。
【請求項１５】
前記緩衝部材は、前記第１結合部に対応される領域を含む前記平板蛍光ランプの端部位を支持することを特徴とする請求項１２記載のバックライトアセンブリ。
【請求項１６】
前記収納容器は、外郭と隣接する放電空間に対応し前記底部に形成された開口部を有することを特徴とする請求項１２記載のバックライトアセンブリ。
【請求項１７】
前記開口部は、前記底部の４つの角に前記放電空間の長さ方向に沿ってそれぞれ形成されることを特徴とする請求項１６記載のバックライトアセンブリ。
【請求項１８】
複数の放電空間に分割され光を発生する平板蛍光ランプと、底部及び側部からなり前記平板蛍光ランプを収納し、前記底部には外郭と隣接する放電空間に対応し開口部が形成された収納容器とを含むバックライトアセンブリと、
前記バックライトアセンブリから供給される光を用いて画像を表示する液晶表示パネルと、
を含む液晶表示装置。
【請求項１９】
前記開口部は、前記底部の４つの角に前記放電空間の長さ方向に沿ってそれぞれ形成されることを特徴とする請求項１８記載の液晶表示装置。
【請求項２０】
前記平板蛍光ランプは、
ランプ本体と、
前記ランプ本体の両端部にそれぞれ形成され、前記放電空間の長さ方向に垂直な方向に延長され全ての前記放電空間と交差する電極と、
を含むことを特徴とする請求項１８記載の液晶表示装置。
【請求項２１】
前記開口部は、前記電極から隣接する前記側部に沿って一定距離に形成されることを特徴とする請求項２０記載の液晶表示装置。
【請求項２２】
前記バックライトアセンブリは、前記平板蛍光ランプと前記収納容器との間に配置され前記平板蛍光ランプを支持する緩衝部材をさらに含むことを特徴とする請求項１８記載の液晶表示装置。
【請求項２３】
前記緩衝部材は、前記開口部に対応する領域を含む前記平板蛍光ランプの端部位置を支持することを特徴とする請求項２２記載の液晶表示装置。
【請求項２４】
前記収納容器の底部には、前記緩衝部材との結合のための第１結合部が形成され、
前記緩衝部材には前記第１結合部と結合される第２結合部が形成されることを特徴とする請求項２３記載の液晶表示装置。
【請求項２５】
前記バックライトアセンブリは、
前記平板蛍光ランプを駆動するための放電電圧を発生するインバーターと、
前記平板蛍光ランプの上部に配置され、前記平板蛍光ランプから出射する光を拡散させる拡散板と、
前記拡散板の上部に配置される光学シートと、
をさらに含むことを特徴とする請求項１８記載の液晶表示装置。
【請求項２６】
前記バックライトアセンブリは、
前記平板蛍光ランプを固定し前記拡散板を支持する第１モールドと、前記拡散板及び前記光学シートを固定し前記液晶表示パネルを支持する第２モールドと、
をさらに含むことを特徴とする請求項２５記載の液晶表示装置。
【発明の詳細な説明】
【技術分野】
【０００１】
本発明はバックライトアセンブリ及びこれを有する液晶表示装置に関し、さらに詳細には発生される光の輝度均一性を向上させることができるバックライトアセンブリ及びこれを有する液晶表示装置に関する。
【背景技術】
【０００２】
一般に、液晶表示装置は液晶を用いて画像を表示する平板表示装置の１つとして、他の表示装置に比べて薄くて軽く、低駆動電圧及び低消費電力を有するという長所があって、産業全般に渡って幅広く使用されている。
【０００３】
このような液晶表示装置は、画像を表示するための液晶表示パネルが自発的に発光することができない非発光性素子であるので、液晶表示パネルに光を供給するための別途のバックライトアセンブリを必要とする。
【０００４】
従来のバックライトアセンブリは、光源として細くて長い円筒形状の冷陰極蛍光ランプＣＣＦＬを主に使用した。しかし、液晶表示装置が大型化されることにつれて、要求される冷陰極蛍光ランプの数が増加され、これにより、製造原価が増加され、輝度均一性などの光学特性が低下するという問題点が発生している。
【０００５】
このような問題点を解消するために、最近には、面形態に光を直接出射する平板蛍光ランプについての開発が進行されつつある。平板蛍光ランプは複数の放電空間に分割された内部空間を有するランプ本体と、ランプ本体に放電電圧を印加するための電極とを含む。このような平板蛍光ランプはインバーターから電極に印加される放電電圧によってそれぞれの放電空間でプラズマ放電を起こす。このとき、ランプ本体の内部に形成されている蛍光膜はプラズマ放電によって発生された紫外線によって励起され可視光を発生する。
【発明の開示】
【発明が解決しようとする課題】
【０００６】
しかし、平板蛍光ランプの駆動の際、放電空間のうち外郭と最も隣接する上端及び下端に位置する放電空間の輝度が他の放電空間の輝度に比べて低下するという問題点が発生する。このような輝度低下は平板蛍光ランプと金属材質の収納容器との間で発生する漏洩電流のため発生するもので、これにより液晶表示装置の輝度均一性及び外観品質を低下させるという問題が発生する。
【０００７】
従って、本発明はこのような問題点を勘案したもので、本発明の目的は平板蛍光ランプから出射する光の輝度均一性を向上させ外観品質を向上させ、機具組立の安定性を向上させることができるバックライトアセンブリを提供することにある。
【０００８】
本発明の他の目的は前記のような平板蛍光ランプを有する液晶表示装置を提供することにある。
【課題を解決するための手段】
【０００９】
前述した本発明の目的を達成するための１特徴によるバックライトアセンブリは、平板蛍光ランプ及び収納容器を含む。前記平板蛍光ランプは複数の放電空間に分割され光を発生する。前記収納容器は底部及び側部からなり、前記平板蛍光ランプを収納し、前記底部には外郭と隣接する放電空間に対応し開口部が形成される。
【００１０】
前記開口部は、前記放電空間の長さ方向に沿って形成され、前記底部の４つの角にそれぞれ形成される。
前記平板蛍光ランプは、ランプ本体及び前記ランプ本体の両端部にそれぞれ形成された電極を含む。前記電極は前記放電空間の長さ方向に垂直な方向に延長され全ての前記放電空間と交差する。前記開口部は前記電極から隣接する前記側部に沿って一定距離に形成される。
【００１１】
本発明の目的を達成するための他の特徴によるバックライトアセンブリは、平板蛍光ランプ、収納容器及び緩衝部材を含む。前記平板蛍光ランプは、複数の放電空間に分割され光を発生する。前記収納容器は底部及び側部からなり、前記平板蛍光ランプを収納し、前記底部には端部位置に沿って第１結合部が形成される。前記緩衝部材は、前記平板蛍光ランプと前記収納容器との間に配置され前記平板蛍光ランプを支持し、前記第１結合部と結合される第２結合部を有する。
【００１２】
前記緩衝部材は、前記第１結合部に対応する領域を含む前記平板蛍光ランプの端部位置を支持する。
本発明の他の目的を達成するための液晶表示装置は、バックライトアセンブリ及び液晶表示パネルを含む。前記バックライトアセンブリは、複数の放電空間に分割され光を発生する平板蛍光ランプと、底部及び側部からなり前記平板蛍光ランプを収納し、前記底部には外郭と隣接する放電空間に対応して開口部が形成された収納容器とを含む。前記液晶表示パネルは、前記バックライトアセンブリから供給される光を用いて画像を表示する。
【００１３】
前記開口部は、前記底部の４つの角に前記放電空間の長さ方向に沿ってそれぞれ形成される。
前記バックライトアセンブリは、前記平板蛍光ランプと前記収納容器との間に配置され前記平板蛍光ランプを支持する緩衝部材をさらに含む。前記緩衝部材は前記開口部に対応する領域を含む前記平板蛍光ランプの端部位置を支持する。
【００１４】
このようなバックライトアセンブリ及びこれを有する液晶表示装置によると、外郭と隣接する放電空間の漏洩電流を減少させ平板傾向ランプから出射する光の輝度均一性を向上することができ、また、緩衝部材に収納容器との結合のための突出部を形成し緩衝部材をより安定的に固定することができる。
【発明を実施するための最良の形態】
【００１５】
以下、図面を参照して本発明の望ましい１実施形態をより詳細に説明する。
図１は本発明の１実施形態によるバックライトアセンブリを示す分解斜視図である。
図１に示すように、本発明の１実施形態によるバックライトアセンブリ１００は、平板蛍光ランプ２００及び収納容器３００を含む。
【００１６】
平板蛍光ランプ２００は、光を発生ランプ本体２１０及びランプ本体２１０の両端部にそれぞれ形成された電極２２０を含む。ランプ本体２１０は面形態に光を出射するために、上から見た平面が四角形状を有するように形成される。平板開口ランプ２００は外部のインバーターから印加される放電電圧によって内部空間でプラズマ放電を起こし、プラズマ放電によって発生された紫外線を可視光に変換して外部に出射する。平板蛍光ランプ２００は広い発光面積を有するので、発光効率を向上させるために内部空間が複数の放電空間に分割された構造を有する。電極２２０は放電空間の長さ方向と垂直な方向に延長され全ての放電空間と交差するように形成される。
【００１７】
収納容器３００は、底部３１０及び底部３１０の端部位置から延長され平板蛍光ランプ２００を収納するための収納空間を形成する側部３２０で構成される。側部３２０は、一例で、他の構成要素との結合領域を提供し、機械的強度を向上させるためにＵ字形態にベンディングされた形状を有する。収納容器３００は強度が優れ変形が少ない金属からなる。
【００１８】
収納容器３００の底部３１０には、平板蛍光ランプ２００の外郭と隣接する放電空間に対応して開口部３１２が形成される。開口部３１２は底部３１０の４つの角にそれぞれ形成され、放電空間の長さ方向に沿って開口される。即ち、開口部３１２は最上端に位置する放電空間の両端部に対応して形成され、最下端に位置する放電空間の両端部に対応するように形成される。平板蛍光ランプ２００と収納容器３００との間には寄生キャパシタンスによる漏洩電流が発生する。開口部３１２は平板蛍光ランプ２００と収納容器３００との間の寄生キャパシタンスを減少させ、平板蛍光ランプ２００から漏洩する電流を減少させる。
【００１９】
バックライトアセンブリ１００は、平板蛍光ランプ２００と収納容器３００との間に配置され平板蛍光ランプ２００を支持する緩衝部材４００をさらに含む。緩衝部材４００は、平板蛍光ランプ２００の端部位置に対応して配置され、平板蛍光ランプ２００を収納容器３００から一定距離に離間して、平板蛍光ランプ２００と収納容器３００と間の電気的接触を遮断する。緩衝部材４００は絶縁物質からなる。また、緩衝部材４００は外部から加えられる衝撃を吸収するためにある程度の弾性を有する物質からなることが望ましい。一例で、緩衝部材４００はシリコン材質からなる。
【００２０】
本実施形態において、緩衝部材４００は“コ”字形状を有する２つの部材から構成される。この構成に代えて、緩衝部材４００を、平板蛍光ランプ２００の各辺に対応する４つの部材で構成するか、平板蛍光ランプ２００の４つの角に対応して配置される“Ｌ”字形状の４つの部材で構成するか、またはフレーム形状の一体型に形成することができる。  
【００２１】
図２は図１に示された収納容器の一部分を拡大した斜視図であり、図３は図１に示された緩衝部材の背面を示す斜視図である。
図２及び図３に示すように、収納容器３００の底部３１０の角部分には開口部３１２が形成される。開口部３１２は、平板蛍光ランプ２００の放電空間のうち外郭と隣接する放電空間と対応する領域に形成される。開口部３１２は、隣接する側部３２０と並んで延長され矩形形態に開口される。開口部３１２の大きさが大きくなるほど収納容器３００が変形する可能性があるので、底部３１０には開口部３１２の中央部を横切る連結部３１４を形成することができる。連結部３１４は収納容器３００の機械的強度を保持するために１つ以上を開口部３１２内に形成することができる。
【００２２】
収納容器３００の底部３１０には、緩衝部材４００との結合のための第１結合部３１６が形成される。本実施形態において、第１結合部３１６はホールからなる。ホール３１６は、緩衝部材４００が配置される底部３１０の端部位置に沿って形成される。ホール３１６は、一例で、円形状に開口される。これに代えて、ホール３１６は四角形などの多様な形状に開口することができる。
【００２３】
緩衝部材４００は、収納容器３００の内部の端部位置に配置され、平板蛍光ランプ２００を支持する。緩衝部材４００は底部３１０の開口部３１２及び第１結合部３１６に対応する領域を含む平板蛍光ランプ２００の端部位置を支持する。緩衝部材４００は底部３１０と向き合う面に形成され、第１結合部３１６と結合される第２結合部４１０を有する。本実施形態において、第２結合部４１０は突起で構成される。突起４１０は、ホール３１６に嵌合することができるようにホール３１６と同一の形状に形成される。突起４１０とホール３１６の結合によって、緩衝部材４００は収納容器３００に安定的に固定される。また、緩衝部材４００の開口部３１２に対応する位置に突起を形成することもできる。
【００２４】
図４は図１の結合されたバックライトアセンブリを第１方向に沿って切断した断面図であり、図５は図１の結合されたバックライトアセンブリを第２方向に沿って切断した断面図である。
【００２５】
図４及び図５に示すように、開口部３１２は平板蛍光ランプ２００の外郭と最も隣接する放電空間２５０に対応して放電空間２５０の長さ方向に沿って形成される。開口部３１２は電極２２０と一部領域が重畳され、隣接する側部３２０に沿って電極２２０以外の領域まで延長されるように形成される。このとき、開口部３１２の開口長さＯＬは平板蛍光ランプ２００の電気的特性と収納容器３００の機械的特性を考慮し決定する。即ち、平板蛍光ランプ２００と収納容器３００との間で発生される寄生キャパシタンスを最小化し、収納容器３００の強度をそのまま保持することができる程度の開口長さＯＬを有することが望ましい。一例で、開口部３１２の開口長さＯＬは約２０ｃｍ以下に形成される。一方、開口部３１２の開口幅ＯＷは、漏洩電流を最小化するために放電空間２５０の空間幅ＳＷと同じであるかこれより大きく形成することが望ましい。
【００２６】
一方、緩衝部材４００は、突起４１０とホール３１６との結合によって収納容器３００に固定される。突起４１０はホール３１６と殆ど同一の大きさを有するので、突起４１０をホール３１６に挿入するためにはある程度の外力を加えなければならない。このような結合によって、緩衝部材４００は、ずれたり離脱することなく安定的に収納容器３００に固定される。また、緩衝部材４００を収納容器３００に固定するために両面テープを使用するなどの追加的な工程を除去することができる。
【００２７】
図６は図５に示されたバックライトアセンブリの他の実施形態に示された断面図である。本実施形態において、第１結合部及び第２結合部を除いた残りの構造は図５に示されたのと同一であるので、その重複される詳細な説明は省略することにする。
【００２８】
図６に示すように、収納容器３００の底部３１０には緩衝部材４００との結合のための第１結合部３１８が形成され、緩衝部材４００には収納容器３００との結合のために第１結合部３１８と結合される第２結合部４２０が形成される。本実施形態において、第１結合部３１８は底部３１０から緩衝部材４００方向に突出した突起３１８からなり、第２結合部４２０は突起３１８を挿入することができるホールからなる。
【００２９】
図７は図１に示された平板蛍光ランプを具体的に示す斜視図であり、図８は図７のＩ−
Ｉ’線に沿って切断した断面図である。
【００３０】
図７及び図８に示すように、平板蛍光ランプ２００は光を発生ランプ本体２１０、ランプ本体２１０の両端部にそれぞれ形成された電極２２０を含む。
ランプ本体２１０は第１基板２３０及び第１基板２４０と結合され複数の放電空間２５０を形成する第２基板２４０を含む。
【００３１】
第１基板２３０は四角プレート形状を有し、一例で、第１基板２３０はガラス材質からなる。第１基板２３０は、放電空間２５０で発生した紫外線が漏洩しないように紫外線を遮断する物質を含むことが好ましい。
【００３２】
第２基板２４０は、第１基板２３０と離間することにより放電空間２５０を形成する放電空間部２４２、互いに隣接する放電空間部２４２の間に形成され第１基板２３０と接する空間分割部２４４、及び放電空間部２４２と空間分割部２４４の端部位置に形成され第１基板２３０と結合されるシーリング部２４６を含む。第２基板２４０は、放電空間２５０から発生した可視光を透過することのできる透明な材質からなる。一例で、第２基板２４０はガラス材質からなる。第２基板２４０は、放電空間２５０で発生した紫外線が漏洩しないように紫外線を遮断する物質を含むことが好ましい。
【００３３】
このような形状の第２基板２４０は成形加工によって形成される。即ち、第１基板２３０のようなプレート形状のベース基板を一定温度に加熱した後、所望する形状の金型を通じてベース基板を成形することで、放電空間部２４２、空間分割部２４４及びシーリング部２４６を含む第２基板２４０を得ることができる。この他にも、第２基板２４０はベース基板を加熱した後、空気の吸入を通じて形状を加工するなどの多様な方法によって形成することができる。
【００３４】
第２基板２４０の縦断面は、図７に示されたように、アーチ形状の放電空間部２４２を連続的に連結した形態を有する。しかし、これに代えて、第２基板２４０の放電空間部２４２の縦断面が半円、四角形、台形などの多様な形態を有するように形成することができる。
【００３５】
第２基板２４０には互いに隣接する放電空間２５０を連結するための連結通路２７０が形成される。連結通路２７０は各空間分割部２４４に少なくとも１つ以上が形成される。連結通路２７０は、放電空間２５０に存在する空気を排気するか、放電空間２５０に放電ガスを注入するとき、空気または放電ガスが移動することができる通路を提供する。連結通路２７０は、第２基板２４０の成形加工の際同時に形成される。連結通路２７０は隣接する放電空間２５０を互いに連結することさえできれば、多様な形状にすることができる。一例で、連結通路２７０はＳ字形状に撓んだ構造とすることができる。
【００３６】
第２基板２４０は接着部材２６０を通じて第１基板２３０と結合される。一例で、接着部材２６０は、ガラスより低い融点を有するガラスと金属との混合物であるフリットからなる。第１基板２３０と第２基板２４０との間にシーリング部２４６に対応して接着部材２６０を介在した後焼成することで、第１基板２３０と第２基板２４０は互いに結合される。
【００３７】
空間分割部２４４は、ランプ本体２１０の内部と外部と間の圧力差によって第１基板２３０に密着される。具体的に、第１基板２３０と第２基板２４０との結合後、放電空間２５０に存在する空気を排気して真空状態にし、プラズマ放電のための多様の種類の放電ガスを放電空間２５０に注入する。例えば、放電ガスは水銀、ネオン、アルゴンなどを含む。放電空間２５０に存在する放電ガスのガス圧は約５０〜７０Torr程度、外部大気圧である７６０Torrと比較し圧力差が発生する。このような圧力差によりランプ本体２１０の外部から内部に向かう力が発生し、このような力によって空間分割部２４４は第１基板２３０に密着する。
【００３８】
ランプ本体２１０は第１基板２３０の内面、即ち、第２基板２４０と向き合う面に形成された反射膜２８０、反射膜２８０の上部に形成された第１蛍光膜２９２及び第２基板２９２の内面、即ち、第１基板２３０と向き合う面に形成された第２蛍光膜２９４をさらに含む。反射膜２８０は、第１蛍光膜２９２及び第２蛍光膜２９４から発生した可視光を反射し、第１基板２３０を通じて可視光が漏洩することを防止する。反射膜２８０は反射率を高め、色座標の変化を減少させるために金属酸化物からなる。例えば、反射膜２８０は酸化アルミニウムＡｌ2Ｏ3または硫酸バリウムＢａＳＯ4からなる。第１蛍光膜２９２及び第２蛍光膜２９４は、放電空間２５０でプラズマ放電を通じて発生した紫外線によって励起され可視光を放出する。反射膜２８０、第１蛍光膜２９２及び第２蛍光膜２９４は第２基板２３０と第２基板２４０との結合の前に、第１基板２３及び第２基板２４０にスプレイ方式を通じて薄い膜形態に形成される。このとき、反射膜２８０、第１蛍光膜２９２及び第２蛍光膜２９４は、シーリング部２４６に対応する領域を除いた全体領域に形成される。これに代えて、空間分割部２４４に対応する領域についても反射膜２８０、第１蛍光膜２９２及び第２蛍光膜２９４を形成しないこともできる。
【００３９】
電極２２０は、第２基板２４０の外面に全て放電空間２５０と交差するように形成される。電極２２０は、放電空間部２４２の長さ方向の両端部に対応するように形成される。電極２２０は、放電空間部２４２の長さ方向に垂直な方向に延長され、全ての放電空間２５０と重畳する。電極２２０は、外部のインバーターから印加される放電電圧をランプ本体２１０に伝達するために導電性物質からなる。電極２２０は、一例で、銀と酸化シリコンＳｉＯ２との混合物である銀ペーストのコーティングによって形成される。この他にも、電極２２０は、洞、ニッケル、銀、金、アルミニウム、クロムなどの金属物質のうちいずれか１つ以上の金属物質からなる金属パウダーをスプレイコーティングする方式によって形成することができる。一方、電極２２０は、第１基板２３０の外面にも形成することができる。電極２２０が第１基板２３０及び第２基板２４０にそれぞれ形成された場合、第１基板２３０に形成された電極２３０と第２基板２４０に形成された電極２３０は、導電性クリップによって互いに連結される。また、電極２２０はランプ本体２１０の内部に形成することができる。
【００４０】
本実施形態において、ランプ本体は複数の放電空間を形成するために、第２基板が成形加工された形状を有するが、これに代えて、第２基板が第１基板と同一のプレート形状を有し、第１基板と第２基板との間に放電空間の分割のための隔壁が形成されたランプ本体の構造を有することができる。
【００４１】
図９は本発明の１実施形態による液晶表示装置を示す分解斜視図であり、図１０は図９に示された液晶表示装置の結合された断面を示す断面図である。
図９及び図１０に示すように、本発明の１実施形態による液晶表示装置５００は光を供給するためのバックライトアセンブリ６００及びバックライトアセンブリ６００から供給される光を用いて画像を表示する表示ユニット７００を含む。
【００４２】
バックライトアセンブリ６００は、平板蛍光ランプ２００、収納容器３００及び緩衝部材４００を含む。本実施形態において、平板蛍光ランプ２００、収納容器３００及び緩衝部材４００は図１に示されたのと同一の構造を有するので、同一の参照番号を使用し、その重複される詳細な説明は省略することにする。
【００４３】
バックライトアセンブリ６００は、平板蛍光ランプ２００を駆動するための放電電圧を発生するインバーター６１０、平板蛍光ランプ２００の上部に配置され平板蛍光ランプ２００から出射する光を拡散させる拡散板６２０及び拡散板６２０の上部に配置される光学シート６３０をさらに含む。
【００４４】
インバーター６１０は、外部から低電位の交流電圧を平板蛍光ランプ２００の駆動に適合した高電位の交流電圧に昇圧して放電電圧を出力する。インバーター６１０は収納容器３００の背面に配置される。インバーター６１０から発生された放電電圧は、第１電源線６１２及び第２電源線６１４を通じて平板蛍光ランプ２００の電極２２０に印加される。
【００４５】
拡散板６２０は、平板蛍光ランプ２００から出射する光を拡散させ、光の輝度均一性を向上する。拡散板６２０は、所定の厚さを有するプレート形状からなり、平板蛍光ランプ２００から一定間隔で離間するように配置される。拡散板６２０は、一例で、ポリメチルメタクリレート（ｐｏｌｙ  Ｍｅｔｈｙｌ  Ｍｅｔｈａｃｒｙｌａｔｅ：ＰＭＭＡ）材質からなり、内部に光の拡散のための拡散材を含有する。
【００４６】
光学シート６３０は、拡散板６２０を通じて拡散された光の経路を、再度変更して輝度特性を向上する。光学シート６３０は、拡散板６２０を通じて拡散された光を正面方向に集光し、光の正面輝度を向上するための集光シートを含む構成とすることができる。また、光学シート６３０は、拡散板６２０を通じて拡散された光を再度拡散し、輝度均一性を向上するための拡散シートを含む構成とすることができる。一方、バックライトアセンブリ６００は、要求される輝度特性によって多様な機能の光学シートを追加したり、除去したりすることが可能である。
【００４７】
バックライトアセンブリ６００は、平板蛍光ランプ２００を固定し拡散板６２０を支持する第１モールド６４０、及び拡散板６２０と光学シート６３０を固定し、液晶表示パネル７１０を支持する第２モールド６５０をさらに含む構成とすることができる。
【００４８】
第１モールド６４０は平板蛍光ランプ２００の上部から収納容器３００の側部３２０と結合され、平板蛍光ランプ２００の上部面の端部位置を固定する。第１モールド６４０は図８に示されたように、フレーム形状の一体型に形成される。これに代えて、第１モールド６４０は“コ”字形状または“Ｌ”字形状を有する２つの部材で構成することができる。
【００４９】
第２モールド６５０は、光学シート６３０の上部から収納容器３００の側部３２０と結合され、拡散板６２０及び光学シート６３０の上部面の端部位置を固定する。第２モールド６５０は、第１モールド６４０と同様に、フレーム形状の一体型に形成されるか、“コ”字形状または“Ｌ”字形状の２つの部材で構成することができる。
【００５０】
表示ユニット７００は、バックライトアセンブリ６００から供給される光を用いて画像を表示する液晶表示パネル７１０及び液晶表示パネル７１０を駆動するための駆動回路部７２０を含む。
【００５１】
液晶表示パネル７１０は、薄膜トランジスタ（以下、ＴＦＴと称する）基板７１２、ＴＦＴ基板７１２と対向し結合されるカラーフィルター基板７１４、及び前述の２つの基板７１２、７１４の間に介在された液晶７１６を含む。
【００５２】
ＴＦＴ基板７１２は、スイッチング素子であるＴＦＴ(図示せず)がマトリックス状に形成された透明なガラス基板である。ＴＦＴのソース及びゲート端子にはそれぞれデータ及びゲートラインが連結され、ドレイン端子には透明な導電性材質からなる画素電極(図示せず)が連結される。
【００５３】
カラーフィルター基板７１４は色画素であるＲ、Ｇ、Ｂ画素(図示せず)が薄膜工程によって形成された基板である。カラーフィルター基板７１４には透明な導電性材質からなる共通電極(図示せず)が形成される。
【００５４】
このような構成を有する液晶表示パネル７１０は、前記ＴＦＴのゲート端子に電源が印加されＴＦＴがターンオンすると、画素電極と共通電極との間には電界が形成される。このような電界によって、ＴＦＴ基板７１２とカラーフィルター基板７１４との間に介在された液晶７１６の配列が変化し、液晶７１６の配列変化によって平板蛍光ライン５１０から供給される光の透過度が変更され、所望する階調の画像を得るようになる。
【００５５】
駆動回路部７２０は、液晶表示パネル７１０にデータ駆動信号を供給するデータ印刷回路基板７２２、液晶表示パネル７１０にゲート駆動信号を供給するゲート印刷回路基板７２４、データ印刷回路基板７２２を液晶表示パネル７１０に連結するデータ可撓性回路フィルム７２６、及びゲート印刷回路基板７２４を液晶表示パネルに連結するゲート可撓性回路フィルム７２８を含む。データ可撓性回路フィルム７２６及びゲート可撓性回路フィルム７２８は、例えば、テープキャリアパッケージＴＣＰなたはチップオンフィルムＣＯＦからなる。
【００５６】
データ印刷回路基板７２２は、データ可撓性回路フィルム７２６を折曲することによって収納容器３００の側面または背面に配置され、ゲート印刷回路基板７２４は、ゲート可撓性回路フィルム７２８を折曲することによって収納容器３００の側面または背面に配置される。一方、ゲート印刷回路基板７２４は、液晶表示パネル７１０及びゲート可撓性回路フィルム７２８に別途の信号配線(図示せず)を形成することで、除去することができる。
【００５７】
液晶表示装置５００は、液晶表示パネル７１０を固定するためのトップシャーシ８００をさらに含む構成とすることができる。トップシャーシ８００は、液晶表示パネル７１０の端部位置を取り囲みながら収納容器３００と結合され、液晶表示パネル７１０を第２モールドの上部に固定する。このようなトップシャーシ８００は、外部衝撃による液晶表示パネル７１０の破損を防止し、液晶表示パネル７１０が第２モールド６５０から離脱することを防止する。
【００５８】
このようなバックライトアセンブリ及びこれを有する液晶表示装置によると、外郭と隣接する放電空間に対応される収納容器の底部に開口部を形成し、平板蛍光ランプの漏洩電流を減少させ、平板蛍光ランプから出射する光の輝度均一性を向上することができる。
【００５９】
また、平板蛍光ランプを支持する緩衝部材に収納容器との結合のための結合部を形成して緩衝部材をより安定的に固定することができる。
以上、本発明の実施形態によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００６０】
【図１】本発明の１実施形態によるバックライトアセンブリを示す分解斜視図である。
【図２】図１に示された収納容器の一部分を拡大した斜視図である。
【図３】図１に示された緩衝部材の背面を示す斜視図である。
【図４】図１の結合されたバックライトアセンブリを第１方向に沿って切断した断面図である。
【図５】図１の結合されたバックライトアセンブリを第２方向に沿って切断した断面図である。
【図６】図５に示されたバックライトアセンブリの他の実施形態を示す断面図である。
【図７】図１に示された平板蛍光ランプを具体的に示す斜視図である。
【図８】図７のＩ−Ｉ’線に沿って切断した断面図である。
【図９】本発明の１実施形態による液晶表示装置を示す分解斜視図である。
【図１０】図９に示された液晶表示装置の結合された断面を示す断面図である。
【符号の説明】
【００６１】
１００      バックライトアセンブリ
２００      平板蛍光ランプ
２１０      ランプ本体
２２０      電極
３００      収納容器
３１２      開口部
３１６      ホール
４００      緩衝部材
４１０      突出部
５００      液晶表示装置
６１０      インバーター
６２０      拡散板
６３０      光学シート
６４０      第１モールド
６５０      第２モールド
７００      表示ユニット
７１０      液晶表示パネル
７２０      駆動回路部
８００      トップシャーシ
【図１】
2006156323.tif 000003
【図２】
2006156323.tif 000004
【図３】
2006156323.tif 000005
【図４】
2006156323.tif 000006
【図５】
2006156323.tif 000007
【図６】
2006156323.tif 000008
【図７】
2006156323.tif 000009
【図８】
2006156323.tif 000010
【図９】
2006156323.tif 000011
【図１０】
2006156323.tif 000012